(57)【要約】【課題】遊技者がより積極的に参加してもらえる遊技装置の演出を実現すること。【解決手段】抽選演出として、遊技者が操作入力して参加することのできるサブゲームを実行する。その際、内部抽選結果に対応づけられた複数のゲーム難易度設定の中から何れかを選択する。演出表示選択したゲーム難易度設定に対応づけられた入力評価判定領域を用いて入力評価判定する。このサブゲームにおける成績は、入力評価判定に応じて付与される獲得ポイントの累積である。よって、サブゲームをプレイし獲得ポイントの増え方で内部抽選の結果を推測することができるので、演出に無関心だが内部抽選結果は知りたいと考えるような熟練遊技者にも積極的にサブゲームに参加してもらえるきっかけとなる。【選択図】図１２
2010213925.tif 000002
【特許請求の範囲】
【請求項１】
表示部と、
遊技者が操作入力するための操作入力部と、
前記操作入力部からの操作入力に従って前記表示部を表示制御して、所定の内部抽選処理による抽選を演出するための所定のゲームの進行を制御するゲーム制御部と、
を備えるとともに、
前記ゲーム制御部は、前記ゲームの難易度を前記抽選結果に応じて可変に設定する難易度設定部を有し、
遊技者が前記操作入力部を操作して楽しむことのできる前記ゲームの難易度でもって、前記内部抽選処理の抽選結果の当該遊技者への示唆が可能に構成された遊技装置。
【請求項２】
前記ゲーム制御部は、
操作入力すべきタイミングを遊技者に示すタイミング提示部と、
前記タイミング提示部により示されたタイミングと前記操作入力部からの操作入力タイミングとのズレを所定の入力評価判定基準に基づき評価することで、前記遊技者の操作入力の優劣を評価する評価部と、
を有し、
前記難易度設定部は、前記入力評価判定基準を前記抽選結果に応じて変更することで前記ゲームの難易度を設定する、
請求項１に記載の遊技装置。
【請求項３】
前記難易度設定部は、前記抽選結果が所定の良好条件を満たしている場合に、満たしていない場合に比べて、高評価と判定する前記ズレの許容範囲を広くするように前記入力評価判定基準を変更する請求項２に記載の遊技装置。
【請求項４】
前記ゲーム制御部は、
操作入力すべきタイミングを遊技者に示すタイミング提示部と、
前記タイミング提示部により示されたタイミングと前記操作入力部からの操作入力タイミングとのズレに基づくゲームポイントを算出するゲームポイント算出部と、
を有し、
前記難易度設定部は、前記ゲームポイントの算出単位を前記抽選結果に応じて変更することで前記ゲームの難易度を設定する、
請求項１に記載の遊技装置。
【請求項５】
前記難易度設定部は、前記抽選結果が所定の良好条件を満たしている場合に、満たしていない場合に比べて、ゲームポイントの加算単位が大きくなるように前記算出単位を変更する請求項４に記載の遊技装置。
【請求項６】
前記ゲーム制御部によるゲームの結果と前記内部抽選処理による抽選結果とに基づいて、前記ゲームのエンディング演出を可変して前記表示部に表示制御するゲームエンディング演出制御部を更に備えた請求項１〜５の何れか一項に記載の遊技装置。
【請求項７】
前記ゲームエンディング演出制御部は、前記ゲームの結果に基づく第１次演出を実行するとともに、前記抽選結果が所定の良好条件を満たしている場合には所定のハッピーエンディング演出を実行し、所定の不良条件を満たしている場合には所定のバッドエンディング演出を実行する請求項６に記載の遊技装置。
【請求項８】
前記ゲームエンディング演出制御部は、
（１）前記ゲームの結果が所定の好成績条件を満たし、且つ、前記抽選結果が所定の不良条件を満たしている場合に、所定の称賛演出を前記第１次演出として実行した後に、所定のどんでん返し演出を前記バッドエンディング演出として実行し、
（２）前記ゲームの結果が所定の悪成績条件を満たし、且つ、前記抽選結果が所定の良好条件を満たしている場合に、所定の失敗演出を前記第１次演出として実行した後に、所定の逆転演出を前記ハッピーエンディング演出として実行する、
請求項７に記載の遊技装置。
【請求項９】
表示部と、操作入力部とを具備した遊技装置に装着される演出装置であって、
前記操作入力部からの操作入力に従って前記表示部を表示制御して、所定の内部抽選処理による抽選を演出するための所定のゲームの進行を制御するゲーム制御部と、
を備えるとともに、
前記ゲーム制御部は、前記ゲームの難易度を前記抽選結果に応じて可変に設定する難易度設定部を有し、
遊技者が前記操作入力部を操作して楽しむことのできる前記ゲームの難易度でもって、前記内部抽選処理の抽選結果の当該遊技者への示唆を可能とする演出装置。
【発明の詳細な説明】
【技術分野】
【０００１】
本発明は、内部抽選結果に応じた演出を実行する遊技装置等に関する。
【背景技術】
【０００２】
近年のパチンコ装置やスロットマシーンなどの遊技装置では、演算処理等による内部抽選の結果（いわゆる内部当たりの抽選結果）に応じて様々な演出を実行し、遊技者をメインの遊技以外の面でも楽しませようとする仕組みが知られるところである。演出の形態は多岐に渡り、役物と呼ばれる機構を可動させたり、付属する液晶ディスプレイ等に予め用意された動画を表示させるものなどが有る。
【０００３】
通常、演出の種類は内部抽選の結果によって少しずつ内容が異なるように設定されており、遊技者に演出を見せることで内部当たりの状態を告知・示唆することができるようになっている。
この内部当たり状態の示唆については、演出表示に興味は無いが内部当たり状態だけが分かれば良いと思っている熟練遊技者向けに、内部当たり状態を遊技者が意図するタイミングで表示させることのできる構成が知られている（例えば、特許文献１を参照）。
【先行技術文献】
【特許文献】
【０００４】
【特許文献１】特開２００２−２５３７４０号公報
【発明の概要】
【発明が解決しようとする課題】
【０００５】
内部抽選に伴う各種の演出は、メインの遊技以外でも遊技者に楽しんでもらおうとする配慮から生まれたものであり、熟練技術者が演出に興味が無く内部当たりの状態を認知できれば十分と考えていても、できるだけ演出を楽しんでほしいのが遊技装置メーカ側の願いである。特許文献１の技術によれば確かに熟練遊技者が望むように、意図するタイミングで、求める情報を提供することができるが、せっかくの演出を楽しんでもらうと言う願いを叶えるものではなかった。
【０００６】
本発明は、こうした事情を鑑みてなされたものであり、遊技者がより積極的に参加してもらえる遊技装置の演出を実現することである。
【課題を解決するための手段】
【０００７】
以上の課題を解決するための第１の発明は、
表示部（例えば、図１の液晶ディスプレイ２０２）と、
遊技者が操作入力するための操作入力部（例えば、図１の操作ボタン１１８）と、
前記操作入力部からの操作入力に従って前記表示部を表示制御して、所定の内部抽選処理による抽選を演出するための所定のゲームの進行を制御するゲーム制御部（例えば、図１の演出装置２００、サブ基板２０４、図９の処理部６００、演出制御部６１０、図１２のステップＳ８〜Ｓ１８）と、を備えるとともに、
前記ゲーム制御部は、前記ゲームの難易度を前記抽選結果に応じて可変に設定する難易度設定部（例えば、図１の演出装置２００、サブ基板２０４、図９の処理部６００、演出制御部６１０、難易度設定データ５０６、図１２のステップＳ８）を有し、
遊技者が前記操作入力部を操作して楽しむことのできる前記ゲームの難易度でもって、前記内部抽選処理の抽選結果の当該遊技者への示唆が可能に構成された遊技装置である。
【０００８】
また、別形態として、表示部と、操作入力部とを具備した遊技装置に装着される演出装置であって、前記操作入力部からの操作入力に従って前記表示部を表示制御して、所定の内部抽選処理による抽選を演出するための所定のゲームの進行を制御するゲーム制御部と、を備えるとともに、前記ゲーム制御部は、前記ゲームの難易度を前記抽選結果に応じて可変に設定する難易度設定部を有し、遊技者が前記操作入力部を操作して楽しむことのできる前記ゲームの難易度でもって、前記内部抽選処理の抽選結果の当該遊技者への示唆を可能とする演出装置（例えば、図１の演出装置２００）として構成することもできる。
【０００９】
第１の発明によれば、演出の形態として遊技者参加型のゲーム（メインの遊技に対する位置づけではサブゲーム）を実行することができる。このゲームのゲーム難易度は抽選結果によって可変される。つまり、内部抽選結果を知るにはゲームに僅かでも参加する必要があり、遊技者を演出に注目させゲームに参加することで、演出を楽しんでもらうよう働きかけができる。またこれは同時に、ゲーム難易度で内部抽選の結果を告知するといった従来にない遊技装置を実現することにもなる。
【００１０】
第２の発明は、前記ゲーム制御部が、操作入力すべきタイミングを遊技者に示すタイミング提示部（例えば、図１の液晶ディスプレイ２０２、図２〜図３の符合流域４、入力タイミング指標８、符合１０、図９の演出装置２００、演出制御部６１０、画像表示部３６０、図１２のステップＳ１０）と、
前記タイミング提示部により示されたタイミングと前記操作入力部からの操作入力タイミングとのズレを所定の入力評価判定基準に基づき評価することで、前記遊技者の操作入力の優劣を評価する評価部（例えば、図１のサブ基板２０４、図９の演出制御部６１０、入力評価判定領域設定データ５０８、図１２のステップＳ１４）と、を有し、
前記難易度設定部は、前記入力評価判定基準を前記抽選結果に応じて変更することで前記ゲームの難易度を設定する第１の発明の遊技装置である。
【００１１】
第２の発明によれば、第１の発明と同様の効果を奏するとともに、操作入力タイミングと操作入力すべき最適タイミングとのズレの評価基準を変更することで、ゲーム難易度を設定することができる。つまり、同じようなタイミングで操作入力したとしても、内部抽選の結果によってその評価が異なり、ゲームの進行状況に影響する。例えば、ポイント制のゲームであれば、獲得ポイントの増加具合などに影響する。
遊技者にとってみれば、あからさまに内部抽選結果が明示されるわけでなく、何度となくゲームをプレイしてみることで、いつも通りプレイしているつもりなのにゲームの進行状況（例えば、獲得ポイントの増加具合など）が違うことを察知して内部抽選の結果の違いを推測するできることになる。よって、遊技者を演出としてのゲームに意欲的に参加してもらうように促すことができる。
【００１２】
第３の発明は、前記難易度設定部が、前記抽選結果が所定の良好条件を満たしている場合に、満たしていない場合に比べて、高評価と判定する前記ズレの許容範囲を広くするように前記入力評価判定基準を変更する第２の発明の遊技装置である。
【００１３】
第３の発明によれば、第２の発明と同様の効果を奏するとともに、抽選結果が遊技者にとって有益な結果、例えば大役など何らかの形で当選した場合の操作入力の評価は、そうでない場合よりも高く評価される。
遊技者にとってみれば、演出としてのゲームをプレイしていて、いつもよりも成績が良くプレイできれば内部抽選結果が良好であると推測できることになり、また、遊技者に対して、演出としてのゲームに参加することの楽しさをより印象づけることができる。
【００１４】
第４の発明は、前記ゲーム制御部が、操作入力すべきタイミングを遊技者に示すタイミング提示部と、前記タイミング提示部により示されたタイミングと前記操作入力部からの操作入力タイミングとのズレに基づくゲームポイントを算出するゲームポイント算出部と、を有し、前記難易度設定部が、前記ゲームポイントの算出単位を前記抽選結果に応じて変更することで前記ゲームの難易度を設定する（例えば、図１７の獲得ポイント設定データ５１８、図１８のステップＳ１６Ｃ）、第１の発明の遊技装置である。
【００１５】
第４の発明によれば、第１の発明と同様の効果を奏するとともに、操作入力タイミングと操作入力すべき最適タイミングとのズレに基づいてゲームポイントを算出する際、内部抽選の結果に応じた算出単位を用いることでゲーム難易度を可変することができる。つまり、同じようなタイミングで操作入力したとしても、内部抽選の結果によって獲得ポイントの増加具合が変わる。
遊技者にとってみれば、何度となくゲームをプレイしてみることで、いつも通りプレイしているつもりなのに獲得ポイントの増加具合が違うことを察知して内部抽選の結果の違いを推測できることになる。よって、遊技者を演出としてのゲームに意欲的に参加してもらうように促すことができる。
【００１６】
第５の発明は、前記難易度設定部が、前記抽選結果が所定の良好条件を満たしている場合に、満たしていない場合に比べて、ゲームポイントの加算単位が大きくなるように前記算出単位を変更する第４の発明の遊技装置である。
【００１７】
第５の発明によれば、第４の発明と同様の効果を奏するとともに、抽選結果が遊技者にとって有益な結果、例えば何らかの形で当選した場合の操作入力の評価は、そうでない場合よりもゲームポイントの加算単位が大きくされる。
遊技者にとってみれば、演出としてのゲームをプレイしてみて、いつもよりも成績が良くプレイできれば内部抽選結果が良好であると推測できる。また、遊技者に対して、演出としてのゲームに参加することの楽しさをより印象づけることができる。
【００１８】
第６の発明は、前記ゲーム制御部によるゲームの結果と前記内部抽選処理による抽選結果とに基づいて、前記ゲームのエンディング演出を可変して前記表示部に表示制御するゲームエンディング演出制御部を更に備えた第１〜第５の何れかの発明の遊技装置である。
【００１９】
第６の発目によれば、第１〜第５の発明の何れかと同様の効果を奏するとともに、ゲームの結果と内部抽選結果とに合わせてゲームのエンディング演出を変えて表示することができる。よって、演出としてのゲームに参加して得られる楽しみを多様にできる。
【００２０】
第７の発明は、前記ゲームエンディング演出制御部が、前記ゲームの結果に基づく第１次演出を実行するとともに、前記抽選結果が所定の良好条件を満たしている場合には所定のハッピーエンディング演出を実行し、所定の不良条件を満たしている場合には所定のバッドエンディング演出を実行する第６の発明の遊技装置である。
【００２１】
第７の発明によれば、第６の発明と同様の効果を奏するとともに、抽選結果が良好であればハッピーエンディングとなる演出を実行し、不良であればバッドエンディングとなる演出を行うようにできる。
【００２２】
第８の発明は、前記ゲームエンディング演出制御部が、（１）前記ゲームの結果が所定の好成績条件を満たし、且つ、前記抽選結果が所定の不良条件を満たしている場合に、所定の称賛演出を前記第１次演出として実行した後に、所定のどんでん返し演出を前記バッドエンディング演出として実行し、（２）前記ゲームの結果が所定の悪成績条件を満たし、且つ、前記抽選結果が所定の良好条件を満たしている場合に、所定の失敗演出を前記第１次演出として実行した後に、所定の逆転演出を前記ハッピーエンディング演出として実行する、第７の発明の遊技装置である。
【００２３】
第８の発明によれば、第７の発明と同様の効果を奏するとともに、ゲーム結果が良好でも内部抽選結果が悪い場合には、最初にゲーム結果を称賛する内容の演出を実行した後、どんでん返しが起きた内容の演出をすることができる。反対に、ゲーム結果が悪くとも、内部抽選結果が良好であれば、最初にゲームに失敗した旨の演出を実行した後に、逆転演出をすることができる。従って、ゲームの結果に係わらず、内部抽選結果と演出内容との整合をとることができる。
【図面の簡単な説明】
【００２４】
【図１】第１実施形態におけるパチンコ装置の構成例を示す正面外観図。
【図２】第１実施形態におけるサブゲームのゲーム画面例を示す図。
【図３】第１実施形態におけるサブゲームのゲーム画面例を示す図。
【図４】称賛演出の表示例を説明するための画面図。
【図５】どんでん返し演出の表示例を説明するための画面図。
【図６】ゲームオーバー演出の表示例を説明するための画面図。
【図７】逆転演出の表示例を説明するための画面図。
【図８】第１実施形態におけるゲーム難易度の設定と入力評価判定基準との対応関係の例を示す概念図
【図９】第１実施形態における機能構成例を示す機能ブロック図。
【図１０】難易度設定データのデータ構成例を示す図。
【図１１】入力評価判定領域設定データのデータ構成例を示す図。
【図１２】第１実施形態における演出実行に係わる処理の流れを説明するためのフローチャート。
【図１３】第２実施形態におけるサブゲームのゲーム画面例を示す図。
【図１４】クリア条件設定データのデータ構成例を示す図。
【図１５】第２実施形態における演出実行に係わる処理の流れを説明するためのフローチャート。
【図１６】第３実施形態におけるサブゲームのゲーム画面例を示す図。
【図１７】獲得ポイント設定データのデータ構成例を示す図。
【図１８】第３実施形態における演出実行に係わる処理の流れを説明するためのフローチャート。
【図１９】第３実施形態の変形例におけるサブゲームのゲーム画面例を示す図。
【図２０】第４実施形態のメダルゲーム装置の構成例を示す正面外観図。
【図２１】第４実施形態における処理の流れを説明するためのフローチャート。
【発明を実施するための形態】
【００２５】
〔第１実施形態〕
本発明の第１実施形態として、本発明が適用された演出装置を遊技装置の一例であるパチンコ装置に搭載した形態を例に挙げて説明する。
【００２６】
［パチンコ装置の概略説明］
図１は、本実施形態における遊技装置であるパチンコ装置１００の正面外観図である。パチンコ装置１００には、種々の絵柄が施された盤面１０２と、この盤面１０２よりも正面側に配置された光透過性のカバー１０３とが設けられ、盤面１０２とカバー１０３との間にパチンコ玉（遊技媒体）が移動可能な遊技空間が画成されている。
【００２７】
遊技装置１００の下部には、これから使用するパチンコ玉を入れる打球供給皿部１０４が設けられている。打球供給皿部１０４に入れられたパチンコ玉は射出装置１０５に導かれ、遊技者が操作入力する操作ハンドル１０６の回転操作に応じた強さで射出装置１０５によってレール１０７に沿って遊技空間内に射出・投入される。
【００２８】
遊技空間内に投入されたパチンコ玉は自由運動し、遊技空間内を落下して移動する。この際、パチンコ玉は遊技空間内に設けられた「釘」などの様々な障害物に当りつつ、時に障害物にガイドされて移動方向を変えながら落下する。パチンコ玉が、上手く遊技空間内の特定箇所、例えば入賞口１０８に入ったこと（あるいは通過したこと）が検知されると、所定数の新たなパチンコ玉が払出装置１１４より打球供給皿部１０４に払い出される。
【００２９】
また、遊技空間内に投入されたパチンコ玉が、入賞口１０８（チャッカーとも言う）に入ったことを検知すると、メイン基板１１２が内部抽選を実行する。
メイン基板１１２は、ＣＰＵや、ＲＯＭやＲＡＭといった各種ＩＣチップ、基板間のデータ通信制御用ＩＣチップ、通信ケーブルの端子などを搭載する。内部抽選は予めＩＣチップに記憶されているプログラムをＣＰＵ等で実行することによって演算処理により実現される。内部抽選の内容は遊技性の観点から適宜設定可能であるが、本実施形態の内部抽選では、例えば、役（賞）の抽選、抽選された役への当選判定（当たり／ハズレ判定）、当選確率の変動（いわゆる確変）の発生判定などが行われる。それら内部抽選の結果は制御信号に含まれて、盤面１０２のほぼ中央に設けられた演出装置２００に送信される。
【００３０】
演出装置２００は、メイン基板１１２からの制御信号を受信可能なように通信ケーブルで接続されており、内蔵するサブ基板２０４でメイン基板１１２から受信した制御信号に含まれる確率変動の状態に関する情報に対応する演出を実現する。演出形態としては、例えば、液晶ディスプレイ２０２での画像（静止画・動画どちらも可）の表示、「飾り付け」「役物」に相当する立体物の可動、スピーカ１１６からの放音といったものが組み合わされた種々の形態を含む。
【００３１】
内部抽選の結果、何れかの役に当選判定された場合には、演出中又は演出終了後に当選した役（賞）等に応じアタッカー１１０が開くように制御される。
【００３２】
尚、パチンコ装置１００の下部には、操作ボタン１１８が備えられており、遊技中の様々な操作入力に利用することができる。
【００３３】
［演出の説明］
本実施形態の演出装置２００は、演出の一形態として、操作ボタン１１８を用いて遊技者が参加することのできるサブゲームを、メイン基板１１２から演出開始の制御信号を受信してから所定時間の間に実行することができる。
【００３４】
図２〜図３は、液晶ディスプレイ２０２に表示されるサブゲームのゲーム画面例を示す図である。
本実施形態のサブゲームはいわゆる「音楽ゲーム」「音ゲーム」などと称される仮想の楽器演奏をテーマとするミニゲームである。スピーカ１１６から再生される演奏曲を聴きながら指定タイミングに合わせて操作ボタン１１８をリズム良く操作すると、再生されている演奏曲に重ねて打楽器の打音が再生される。つまり、演奏曲に合わせた仮想打楽器の演奏を楽しむことができる。
【００３５】
ゲーム画面Ｗ２，Ｗ４には、符合流域４と、累積ポイント表示部６と、入力タイミング指標８とが表示される。
符合流域４は、ゲーム画面Ｗ２，Ｗ４の中央に画面左右端にかけて設けられた帯状領域である。この符合流域４には、演奏曲の再生とともに、画面右端から仮想演奏操作の種類を示す符合１０が出現し、符合流域４の左端に固定表示された入力タイミング指標８へ向かって、演奏曲の再生と同期してそれぞれ所定のタイミングで進入するように流れ表示される。つまり、流れ表示される符合１０が入力タイミング指標８へ進入することが、操作入力すべきタイミングであり、このことを遊技者に示すこととなる。入力タイミング指標８の中心が、符合１０の中心と重なるタイミングが最適入力タイミングとなる。
【００３６】
遊技者は、流れ表示される符合１０がこの入力タイミング指標８に入ったタイミングで、当該符号１０の示す操作種類に対応する操作ボタン１１８を操作することで、再生されている演奏曲のリズムに合わせて打楽器音を発生させ、あたかも自分が演奏曲の打楽器パートを演奏しているかのような仮想現実感を楽しみながらゲームをプレイする。
【００３７】
遊技者による操作入力のタイミングは、最適入力タイミングとのズレに基づいて所定の入力評価基準に従い評価される。そして、遊技者は、この入力評価の優劣の判定結果（優・良・可・不可）に応じてポイントを取得することができる。例えば、優が３ポイント、良が２ポイント、可が１ポイント、不可が０ポイントと言った具合である。
【００３８】
優劣の判定結果は、入力評価結果表示１２として画面内に表示される。そして、取得したポイントの累積は累積ポイント表示部６に常に表示される。累積されたポイントが、演奏終了までに規定値まで到達すればゲームクリアとなり、到達できなければゲームオーバーとなる。
【００３９】
ゲームを終了すると、液晶ディスプレイ２０２でゲームエンディング演出が表示される。例えばゲームクリアした場合には、図４に示すように、ゲーム画面Ｗ６の上に、ゲームクリアを称賛し、何らかのボーナスがもらえることを示唆する内容の称賛演出３０が表示される。勿論、同演出の表示に伴って専用音声４０がスピーカ１１６から再生・音出力される。称賛演出３０のみでゲームエンディング演出が構成されるこのケースは、ゲームを良好な成績でクリアし、内部抽選が良好で、それに伴い確率変動の状態に関する情報が「確率変動する」となり、アタッカー１１０が開かれる状況に対応したハッピーエンディング演出となる。
【００４０】
しかし、内部抽選の結果はその時々に決まるものであり、ゲームクリアしたときに必ずしも確率変動の状態に関する情報が「確率変動する」であるとは限らない。そこで、本実施形態ではゲームはクリアしたが先に実行された内部抽選結果が確率変動の状態に関する情報が「確率変動しない」場合には、第１次演出として称賛演出３０を表示させた後に、図５に示すような、第２次演出としてゲームクリアのボーナスはもらえないことに状況が変わった旨のどんでん返し演出３２を表示させる。これら２つの演出をもってゲームエンディング演出とする。勿論、どんでん返し演出３２の表示に伴って専用音声４２がスピーカ１１６から再生される。
このようにどんでん返し演出３２を追加することでバッドエンディング演出とするこのケースは、ゲーム結果は良好であったが内部抽選結果が不良で、確率変動しないためにアタッカー１１０が開かれない状況との整合をとることができる。
【００４１】
一方、ゲームクリアできずにゲームオーバーとなった場合には、図６に示すように、ゲームを失敗した旨を通知するゲームオーバー演出３４（失敗演出）がゲームエンディング演出としてゲーム画面Ｗ８に表示される。本実施形態のゲームオーバー演出３４は、ゲームに失敗したのでボーナスがもらえない旨を通告する内容の演出とされる。勿論、同演出の表示に伴って専用音声４４がスピーカ１１６から再生される。
ゲームオーバー演出３４をもってゲームエンディング演出とするこのケースは、ゲーム結果が不良で、且つ内部抽選結果も不良で確率変動されず、アタッカー１１０も開かれなかった場合のバッドエンディング演出として整合する。
【００４２】
ゲームクリアできずにゲームオーバーしたが確率変動の状態に関する情報が「確率変動する」であった場合には、ゲームオーバー演出３４を第１次演出として表示させた後、例えば図７に示すように、ボーナスがもらえる状況に変わった旨の逆転演出３６を第２次演出として表示させる。これら２つの演出を合わせてハッピーエンディング演出となるように構成される。勿論、逆転演出３６の表示に伴って専用音声４６がスピーカ１１６から再生される。
これによって、ゲームオーバーしたのに、内部抽選結果が良好、つまり確率変動する状態でアタッカー１１０が開く状態との不整合を回避することができる。
【００４３】
［内部抽選結果に応じたゲーム難易度の設定］
さて、本実施形態のサブゲームは、遊技者の操作入力に対する入力評価判定の基準を内部抽選の結果に応じて切り換えることで、内部抽選結果が良好であれば（つまりは「当たり」が出れば）ゲーム難易度が相対的に低く、内部抽選結果が不良であれば（つまりは「ハズレ」が出れば）ゲーム難易度が相対的に高くなるように可変できる。
【００４４】
図８は、本実施形態におけるゲーム難易度の設定と入力評価判定基準との対応関係の例を示す概念図である。
本実施形態ではイージー、スタンダード、ハードの３段階のゲーム難易度が選択可能に構成されている。入力評価は、操作ボタン１１８を押したタイミングにおける入力タイミング指標８の中心点８ｐと、この時の中心点８ｐに最寄りの符合１０の中心点１０ｐとの画面横方向のズレによって、優・良・可・不可の４段階に評価される。より具体的には、優・良・可の入力評価については、入力タイミング指標８の内部及びその周辺に各入力評価別の入力評価判定領域（優判定領域２０ｅ，２０ｓ，２０ｈ、良判定領域２２ｅ，２２ｓ，２２ｈ、可判定領域２４ｅ，２４ｓ，２４ｈ）が設定されており、操作ボタン１１８を押したタイミングにおいて入力タイミング指標８の最寄りの符合１０の中心点１０ｐがどの判定領域内に有るかで入力評価が決定される。何れの判定領域にも入っていなければ、当然、入力評価は「不可」となる。
同図に示すように、本実施形態の入力評価判定領域は、ゲーム難易度が低いほどより高い評価が得られやすいように設定されている。
【００４５】
つまり、本実施形態によれば、（遊技者が入力タイミング指標８の中心点８ｐと符合１０の中心点１０ｐとを常に一致させる程の技量を持っていれば別として）サブゲームに適用されるゲーム難易度が異なれば同じようなタイミングで操作入力したとしても、入力評価判定結果が異なり、それは獲得するポイントの違いとなって遊技者に提示されることとなる。換言すると、ゲームの難易度設定でもって間接的に内部抽選結果が遊技者に示唆されるのである。
【００４６】
このように、内部抽選結果をサブゲームのゲーム難易度として遊技者へ示唆可能な構成であれば、遊技者は積極的にサブゲームに参加することで示唆を確認することが可能になる。このことは、遊技者心理を刺激し、サブゲームを単なる演出の一形態にすぎないと見なしてプレイしなかった遊技者に対しても、より積極的にゲームをプレイさせるように働きかける。
【００４７】
［機能ブロックの説明］
次に、演出装置２００に係る機能構成について説明する。
図９は、本実施形態における演出装置２００に係わる機能構成の一例を示す機能ブロック図である。演出装置２００は、処理部６００と、画像表示部３６０と、通信部３７０と、記憶部５００とを備える。このうち、処理部６００と記憶部５００とが演出装置２００の制御基板、パチンコの遊技装置で言うところのサブ基板２０４に相当する。
尚、ここでは演出装置２００が外部の音出力部３４０に音声信号を出力可能な構成として説明するが、演出装置２００自体が音出力部３４０を備える構成としても良い。
【００４８】
処理部６００は、例えばマイクロプロセッサやＡＳＩＣ（特定用途向け集積回路）、ＩＣメモリ、ステッピングモータの駆動回路などの電子部品によって実現され、所定のプログラムやデータ、通信部３７０で受信するメイン基板１１２からの制御信号、及び操作ボタン１１８からの入力信号に基づいて各種の演算処理を実行して演出装置２００の動作を制御する。そして、本実施形態における処理部６００は、演出制御部６１０と、音生成部６５０と、画像生成部６６０と、通信制御部６７０とを備える。
【００４９】
演出制御部６１０は、記憶部５００の演出制御プログラム５０４を処理部６００が読み出して実行することによって実現され、メイン基板１１２から確率変動の状態に関する情報を含む演出実行開始信号を受信すると、前述のように確率変動する／しないに対応したゲーム難易度が適用されたサブゲーム演出を実行し、サブゲーム終了後に内部抽選結果及びサブゲームのプレイ結果に応じたゲームエンディング演出の表示制御を実行する。尚、サブゲームの実行に関する基本的なゲーム処理は、内部抽選結果に対応したゲーム難易度を適用する点を除けば、公知のビデオゲームに関する処理と同様にして実現することができる。
【００５０】
音生成部６５０は、例えばデジタルシグナルプロセッサ（ＤＳＰ）などのプロセッサやその制御プログラムによって実現され、演出制御部６１０による処理結果に基づいて効果音を生成し、音出力部３４０に出力する。
尚、本実施形態では演出装置２００のサブ基板２０４が、音生成部６５０を有することで公知のパチンコ機で言うところの「音声制御基板」の機能を兼ねた構成となっているが、音声制御基板を別に設けた構成としても良いのは勿論である。
【００５１】
音出力部３４０は、音生成部６５０から入力される音信号に基づいて効果音等を音出力する装置によって実現される。図１のスピーカ１１６がこれに該当する。
【００５２】
画像生成部６６０は、例えば、ＧＰＵやデジタルシグナルプロセッサ（ＤＳＰ）などのプロセッサ、その制御プログラム、フレームバッファ等の描画フレーム用ＩＣメモリ等によって実現される。画像生成部６６０は、演出制御部６１０による処理結果に基づいて１フレーム時間（例えば１／６０秒）で１枚のゲーム画像を生成したり予め用意されている動画データをデコードして再生処理することによって、演出用の画像信号を生成して画像表示部３６０に出力する。
【００５３】
画像表示部３６０は、画像生成部６６０から入力される画像信号に基づいて画像を表示する。例えば、液晶ディスプレイなどのフラットパネルディスプレイ、ブラウン管（ＣＲＴ）、プロジェクターといった画像表示装置によって実現できる。図１の液晶ディスプレイ２０２がこれに該当する。
【００５４】
通信制御部６７０は、例えばコマンドをシリアル信号へエンコードしたり、デコードするなどのデータ通信に係るデータ処理を実行し、通信部３７０を介して外部装置（本実施形態ではメイン基板１１２）とのデータのやりとりを実現する。
通信部３７０は、通信回線や通信ケーブルと接続して外部との間で電気的信号の送受を行う。例えば、シリアル通信用インターフェース回路、通信ケーブルのジャックなどによって実現される。
【００５５】
記憶部５００は、処理部６００に演出装置２００を統合的に制御させるための諸機能を実現するためのプログラムや各種データ等を記憶する。また、処理部６００の作業領域として用いられ、処理部６００が各種プログラムに従って実行した演算結果や通信部３７０を介して受信したメイン基板１１２からの制御信号の情報等を一時的に記憶する。この機能は、例えばＲＡＭやＲＯＭなどのＩＣメモリ、ハードディスク等の磁気ディスクなどによって実現される。
【００５６】
本実施形態では、記憶部５００はシステムプログラム５０２と、演出制御プログラム５０４とを記憶している。処理部６００が演出制御プログラム５０４を読み出して実行することによって、処理部６００に演出制御部６１０としての機能を実現させることができる。
【００５７】
また、記憶部５００には、予め用意されるデータとして、難易度設定データ５０６と、入力評価判定領域設定データ５０８と、演奏曲設定データ５１０と、予め作成された複数種類の演出動画データを格納する演出動画データライブラリ５１２と、各種効果音のデータを格納する効果音データライブラリ５１４とが記憶されている。また、演出の実行の各種処理に必要となる累積ポイントや、タイマー値やフラグなども適宜記憶される。
【００５８】
難易度設定データ５０６は、内部抽選結果と適用されるゲーム難易度の対応づけをする。例えば、図１０に示すように、選択条件５０６ａと対応づけて難易度設定５０６ｂを格納する。本実施形態の選択条件５０６ａは、確率変動する状態を示し、アタッカー１１０を開く回数が多い順の「大役」「小役」「普通当たり」の３種類と、アタッカー１１０が開かない「ハズレ」の合計４種類が設定されている。そして、「大役」「小役」については、ゲーム難易度が他より相対的に低く設定され、「ハズレ」は相対的に難易度が高く設定されている。
【００５９】
入力評価判定領域設定データ５０８は、各ゲーム難易度選択時に適用される入力評価判定領域（図８参照）を定義する。例えば、図１１に示すように、難易度設定５０８ａと対応づけて判定領域設定５０８ｂを対応づけて格納する。判定領域設定５０８ｂでは、前述の優判定領域２０ｅ，２０ｓ，２０ｈ、良判定領域２２ｅ，２２ｓ，２２ｈ、可判定領域２４ｅ，２４ｓ，２４ｈがそれぞれ定義されている。
【００６０】
演奏曲設定データ５１０は、サブゲームで仮想演奏する音楽データや、音楽データの再生とともに流れ表示制御される符号１０の種類や表示位置などの情報が格納されている。演奏曲設定データ５１０は、公知の音楽ゲームにおける同種のデータと同様に実現できる。
【００６１】
演出動画データライブラリ５１２には、予め用意された演出用の動画データが格納されている。本実施形態では称賛演出３０（図４参照）やどんでん返し演出３２（図５参照）、ゲームオーバー演出３４（図６参照）、逆転演出３６（図７参照）の動画データ及び動画再生とともに音声再生される音声データが格納されている。
【００６２】
［演出実行に係る処理の流れの説明］
図１２は、本実施形態における演出実行に係る処理の流れについて説明するためのフローチャートである。演出装置２００の処理部６００は、通信部３７０を介してメイン基板１１２から内部抽選結果を示す情報の１つとして確率変動の状態に関する情報を含む制御信号を受信した場合（ステップＳ６のＹＥＳ）、ステップＳ８〜Ｓ４４の処理を所定の演出実行時間Ｔ内で実行する。
【００６３】
具体的には、難易度設定データ５０６を参照して、受信した制御信号に含まれる確率変動の状態に関する情報に基づいて難易度設定５０６ｂを選択し（ステップＳ８）、演奏曲設定データ５１０を参照して符合１０の流れ表示制御とともに演奏曲の再生を開始し（ステップＳ１０）、サブゲームをスタートさせる。
【００６４】
サブゲームがスタートしたならば、処理部６００は操作ボタン１１８からの操作入力を検知する都度（ステップＳ１２のＹＥＳ）、ステップＳ８で選択された難易度設定５０６ｂに対応する判定領域設定５０８ｂで定義された入力評価判定領域に基づいて入力評価を実行する（ステップＳ１４）。
【００６５】
そして、入力評価の判定結果を入力評価結果表示１２としてゲーム画面内に一定時間表示させ（ステップＳ１５）、同判定結果に対応する所定のポイントを累積ポイントに加算し、累積ポイント表示６を更新する（ステップＳ１６）。これを演奏曲が終了するまで繰り返す（ステップＳ１８のＮＯ）。
【００６６】
演奏曲が終了したならば（ステップＳ１８のＹＥＳ）、処理部６００は累積ポイントが規定値に達したか否かでサブゲームをクリアできたか否かを判定する（ステップＳ３０）。肯定の場合（ステップＳ３０のＹＥＳ）、称賛演出３０を表示制御する（ステップＳ３２）。そして称賛演出３０の終了後、そもそも確率変動の状態に関する情報が「確率変動しない」であった場合（内部抽選結果が所定の不良条件を満たす場合）には（ステップＳ３４のＹＥＳ）、更にどんでん返し演出３２を実行し（ステップＳ３６）、今回の内部抽選に対応したゲームエンディング演出を終了する。そもそも確率変動の状態に関する情報が「確率変動する」つまり内部抽選結果が良好条件を満たした結果であった場合には（ステップＳ３４のＮＯ）、そのまま称賛演出３０のみで今回の内部抽選に対応したゲームエンディング演出は終了とする。
【００６７】
一方、累積ポイントが規定値に達しなかった場合には、ゲームオーバーと判断して（ステップＳ３０のＮＯ）、処理部６００はゲームオーバー演出３４を表示させる（ステップＳ４０）。そして、ゲームオーバー演出３４の終了後、そもそも確率変動の状態に関する情報が「確率変動する」であった場合には（ステップＳ４２のＹＥＳ）、逆転演出３６を表示させる（ステップＳ４４）確率変動の状態に関する情報が「確率変動しない」であった場合には（ステップＳ４２のＮＯ）、ゲームオーバー演出３４のみで今回の内部抽選に対応したゲームエンディング演出は終了とする。
【００６８】
以上、本実施形態によれば、ゲームを実行するタイプの演出において、内部抽選結果、ひいては内部抽選結果に応じた確率変動の状態に対応したゲーム難易度設定のゲームを実行することができる。
遊技者が意図的に操作タイミングをずらさない限り、内部抽選結果に対応したゲーム難易度は遊技者の操作入力に対する入力評価の結果、つまりは獲得するポイントの大小として遊技者に示唆される。よって、演出そのものには興味は無いが、内部抽選の結果は知りたいと考える熟練遊技者であっても、積極的にサブゲームをプレイするように参加を促すことができる。
【００６９】
また、内部抽選結果がハズレたときに比べて当選した時、つまり確率変動がしない状態より確率変動している状態を低難易度に設定することによって、内部抽選が当選しているときには気持ちよくゲームクリアして、ゲームクリアのボーナスとしてアタッカー１１０が開くといった流れを実現することができる。よって、ゲーム難易度が変化しない従来のサブゲーム演出には無い、心地良いボーナス獲得までの楽しさや盛り上がり感は、より一層遊技者に積極的にサブゲームをプレイするように促す効果を高める。
【００７０】
また、本実施形態では、どんでん返し演出３２や逆転演出３４を、ゲーム結果と内部抽選結果、つまり確率変動がしない状態より確率変動する状態との関係から適宜実行することで、内部抽選結果の当落と確率変動する／しないとの関係を常に整合させた演出を実現することができる。
【００７１】
〔第２実施形態〕
次に、本発明を適用した第２実施形態について説明する。本実施形態は、基本的に第１実施形態と同様に実現されるが、ゲームクリアの条件を可変することでゲーム難易度を変化させる構成を含む点が異なる。尚、第１実施形態と同様の構成要素については同じ符合を付与して説明は省略するものとする。
【００７２】
図１３は、本実施形態におけるサブゲームのゲーム画面例を示す図である。本実施形態のゲーム画面Ｗ１０には、ゲームクリア条件通知１４と、現在入力評価の成績表示１６とが含まれる。
ゲームクリア条件通知１４は、ゲーム開始前に内部抽選結果に応じたゲーム難易度設定となるように決定された条件が表示される。同図の例では、入力評価判定結果が「優」となる評価が演奏終了までに３回以上得られればゲームクリアとなる。
成績表示１６には、今現在までに得られた評価結果が表示される。
【００７３】
内部抽選結果に応じたゲーム難易度設定を実現するゲームクリア条件は、本実施形態の記憶部５００に予め記憶されたクリア条件設定データ５１６によって定義される。
具体的には、例えば図１４に示すように、難易度設定５１６ａ毎に、複数のクリア条件候補５１６ｂが対応づけて格納されている。処理部６００は難易度設定データ５０６の設定に従って内部抽選結果に対応する難易度設定５０６ｂを選択した上で、このクリア条件設定データ５１６を参照して、先に選択した難易度設定５０６ｂに対応するクリア条件候補５１６ｂの中から何れか１つを選択して、実行するサブゲームのゲームクリア条件とする。
【００７４】
図１５は、本実施形態における演出実行に係る処理の流れについて説明するためのフローチャートである。基本的には第１実施形態の処理の流れと同様であり、演出装置２００の処理部６００は、通信部３７０を介してメイン基板１１２から内部抽選結果を示す情報の１つとして確率変動の状態に関する情報を含む制御信号を受信した場合（ステップＳ６のＹＥＳ）、ステップＳ８〜Ｓ４４の処理を所定の演出実行時間Ｔ内で実行する。
【００７５】
第１実施形態からの変更点を述べると、先ず第１実施形態のステップＳ８に代えて、受信した確率変動の状態に関する情報に対応するクリア条件をクリア条件設定データ５１６のクリア条件候補５１６ｂの中から１つ選択するとともに、ゲーム画面Ｗ１０にゲームクリア条件通知１４を表示させる（ステップＳ８Ｂ）。
【００７６】
また、第１実施形態のステップＳ１４に代えて、所定の入力判定基準領域に基づいてステップＳ１２で検出された操作ボタン１１８への操作入力の入力評価を行う（ステップＳ１４Ｂ）。そして、入力評価に応じてポイントを加算し累積ポイント表示６の更新を行ったならば（ステップＳ１６）、成績表示１６の更新をする（ステップＳ１７Ｂ）
【００７７】
また、第１実施形態のステップＳ３０に代えて、演奏曲が終了した後（ステップＳ１８のＹＥＳ）、処理部６００はステップＳ８Ｂで選択したゲームクリア条件を満たしているかを判定する（ステップＳ３０Ｂ）。
【００７８】
よって、本実施形態によれば第１実施形態と同様に内部抽選結果、つまりは確率変動の状態に応じてゲーム難易度が変化するゲーム演出を実現することができる。
尚、本実施形態に第１実施形態の入力評価判定基準を内部抽選結果に応じて選択する構成を組み合わせる構成も可能である。その場合、第１実施形態のステップＳ８をステップＳ８Ｂで代替するのではなくそのまま残し、ステップＳ１４Ｂは設けず第１実施形態のステップＳ１４をそのまま実行する構成とすれば良い。
【００７９】
〔第３実施形態〕
次に、本発明を適用した第３実施形態について説明する。本実施形態は、基本的に第１実施形態と同様に実現されるが、第１実施形態では優・良・可それぞれで獲得できるポイントが固定であったが、入力評価に伴って獲得できるポイントが内部抽選結果に応じて変化する構成である点が異なる。
尚、第１又は第２実施形態と同様の構成要素については同じ符合を付与して説明は省略するものとする。
【００８０】
図１６は、本実施形態におけるサブゲームのゲーム画面例を示す図である。本実施形態のゲーム画面Ｗ１２では入力評価結果表示１２とともに、今回の操作入力で遊技者が獲得したポイントを示す獲得ポイント通知１８が表示される。この入力評価に伴って獲得できるポイントが内部抽選結果に応じて増減する。
【００８１】
そのために、本実施形態の記憶部５００には予め獲得ポイント設定データ５１８が記憶されている。具体的には、例えば図１７に示すように、難易度設定５１８ａと対応づけて、入力評価別獲得ポイント５１８ｂが記憶されている。
入力評価別獲得ポイント５１８ｂは、ゲーム難易度が高いほど小さく、ゲーム難易度が低いほど多くなるように設定されている。入力評価別獲得ポイント５１８ｂが規定値でなく幅で設定されている場合には、獲得ポイントを決定する都度、設定幅内でランダムに決定する。
【００８２】
図１８は、本実施形態における演出実行に係る処理の流れについて説明するためのフローチャートである。基本的には第１実施形態の処理の流れと同様である。演出装置２００の処理部６００は、通信部３７０を介してメイン基板１１２から確率変動の状態に関する情報を含む制御信号を受信した場合（ステップＳ６のＹＥＳ）、ステップＳ８〜Ｓ４４の処理を所定の演出実行時間Ｔ内で実行する。
【００８３】
第１実施形態からの変更点を述べると、第１実施形態のステップＳ１４に代えて、第２実施形態と同様に所定の入力評価判定領域に基づく入力評価判定処理を実行する（ステップＳ１４Ｂ）。そして、判定された入力評価結果を入力評価結果表示１２としてゲーム画面内に表示させ（ステップＳ１５）、ステップＳ８で選択したゲーム難易度設定とステップＳ１４Ｂで判定された入力評価とに対応する獲得ポイントを獲得ポイント設定データ５２０から選択し、獲得ポイント通知１８を表示させる（ステップＳ１６Ｃ）。次いで、獲得ポイントを累積ポイントに加算して累積ポイント表示６を更新する（ステップＳ１７Ｃ）。
【００８４】
よって、本実施形態によれば、第１実施形態と同様に内部抽選結果に応じてゲーム難易度が変更されるサブゲーム演出を実現できる。そして、本実施形態では、ゲーム難易度が変更されることで入力評価に応じて獲得できるポイントが、内部抽選結果が良好であれば（つまり確率変動する状態は）多く、内部抽選結果が良くなければ（つまり確率変動しない状態は）少なくなる。この結果は、ゲームに参加して獲得ポイント通知１８が表示されることによって遊技者に示唆されるので、遊技者を積極的にサブゲーム演出に参加させるように促す効果を生む。
【００８５】
尚、本実施形態では入力評価判定領域は固定としているが、第１実施形態と同様に内部抽選結果に応じて入力評価判定領域設定データ５０８から適用する判定領域設定５０８ｂを選択する構成としても良い。その場合、ステップＳ１４Ｂは設けず第１実施形態のステップＳ１４をそのまま実行する構成とすれば良い。
【００８６】
また、本実施形態では、全ての符合１０についてゲーム難易度設定に応じて獲得ポイントが変化する構成としているが、例えば図１９に、流れ表示される符合の中に入力タイミング指標８で一定時間（例えば、３秒程度）停止しつづけて、その間操作ボタン１１８の連打入力を要求する特殊符合１１を設定し、当該特殊符合１１の時のみゲーム難易度設定に応じて獲得ポイントが変化する構成としても良い。
【００８７】
このケースでは、ゲーム難易度がイージーである場合には、当該特殊符合１１の獲得ポイントのみで累積ポイントがゲームクリアをするための規定値に到達するように極端に設定することができる。すると、特殊符合１１の前後のゲームプレイの成績にかかわらず、一回の連打操作のみでゲームをクリアできることになる。これによって、最初からメインの遊技（この場合、パチンコ）のみに興味があってサブゲームには全く参加意欲が無い遊技者に対しても、ほんの少しでも参加すれば内部抽選結果の示唆が得られることを分からせ、その僅かな参加機会からサブゲームをプレイする事の楽しさを少しでも知ってもらうよう促すことができる。
【００８８】
〔第４実施形態〕
次に、第４実施形態として、本発明を適用した遊技装置の１つとしてメダルゲーム装置を例に挙げ、第１実施形態と同様のサブゲーム演出を実行するケースを説明する。
【００８９】
図２０は本実施形態におけるメダルゲーム装置３００の構成例を示す外観図である。メダルゲーム装置３００は、基本的には遊技媒体としてメダルを使用する公知のメダルゲーム装置と同様の構成を有する。すなわち、メダルゲーム装置３００は、透明カバーガラス３０２で遊技空間を画成し、遊技空間内に前端がメダル落下口３０４の上方に向かって設置された固定テーブル３０６と、この固定テーブル３０６の上面に沿って延設されるとともにその上面に沿って周期的に往復動されるプッシャーテーブル３０８とを備えた、所謂「プッシャー型」と称されるメダルゲーム装置に分類される構成を有している。
【００９０】
通常は、遊技開始前にメダルゲーム装置３００の管理人らによって固定テーブル３０６並びにプッシャーテーブル３０８の上面に多数のメダルＭが予め載置された状態から、遊技者は筐体前部に延設された操作テーブル上に開口されたメダル挿入口３１０に新たなメダルＭを挿入して遊技する。
【００９１】
遊技者がメダル挿入口３１０に新たなメダルＭを入れると、挿入されたメダルＭがメダル収容部３１２に収容される途中で投入メダル通過センサ３１４によってメダルの通過が検出される。投入メダル通過センサ３１４は、物体の通過を検出する手段であって、例えば投光素子と受光素子とが対向配置された遮光によって物体の通過を検出するセンサや、超音波の反射時間から距離を計測する距離センサなどによって実現できる。通過する物体に接触して揺動する揺動スイッチなどでも良い。
【００９２】
メダルＭの通過が検出されると、メダル挿入口３１０に挿入されたのと同数のメダルが、公知の搬送機構（不図示）によってメダル収容部３１２から遊技空間の天井部内に設けられたメダル貯留部３１６に搬送されるとともに、すでにメダル貯留部３１６に貯留されているメダルが投入メダル通過センサ３１４によってメダルＭの通過を検出した直後に、検出したのと同数だけメダル射出装置３１８から射出される。
【００９３】
メダル射出装置３１８から射出されたメダルは、新規メダル投入口３２０から遊技空間内に落下・投入される。遊技空間内に投入されたメダルＭは、遊技盤３２２とカバーガラス３２４との間に立設された釘３２６などに当りながら流下し、やがてプッシャーテーブル３０８の上面に落ちる。
【００９４】
プッシャーテーブル３０８は、固定テーブル３０６の上面に沿ってスライド移動可能に載置されており、筐体内に設置された公知の往復動機構（不図示）によって、遊技空間の奥に立設された遊技盤３２２の下端に開口する挿通孔３２８から出入りするように前後方向に周期的に往復運動する。
【００９５】
プッシャーテーブル３０８が、固定テーブル３０６上をスライドするようにして後進（退行）すると、その上面に載置されているメダルＭも載置されたまま一緒に移動する。プッシャーテーブル３０８が後進に伴って挿通孔３２８に引き込まれると、後進した分だけプッシャーテーブル３０８の延出長が短くなり、プッシャーテーブル３０８の上面後方に載置されていたメダルが挿通孔３２８の周縁に当たって相対的に前方に押される格好になる。すると、プッシャーテーブル３０８に載置されていた他のメダルも玉突き状に連鎖的に前方へ押され、ついには前端側に載っているメダルが固定テーブル３０６上に落下する。
【００９６】
その後、プッシャーテーブル３０８の前進（押出動作）に伴ってその前方端面が押出部として機能し、固定テーブル３０６の上面に落下して固定テーブル３０６に載置されたメダルは前方に押される。すると今度は、固定テーブル３０６に載置されているメダルが玉突き状に前方へ押されメダル落下口３０４に落下する。
【００９７】
メダル落下口３０４の下部は、落下したメダルＭの通過を検出する落下メダル通過センサ３３２を備えた通路３３４に連通している。
メダル落下口３０４に落下したメダルＭは、この通路３３４を通ってメダル収容部３１２に収容される。そして、この通路３３４を通過する際に検出されたメダルＭと同数だけ、メダル収容部３１２に収容されているメダルが公知の搬送機構（不図示）によって取得メダル払出口３３６に搬送され、メダル受皿３３８へ払い出される。
【００９８】
また、固定テーブル３０６は、前端すなわちメダル落下端部の横幅がプッシャーテーブル３０８の横幅よりも広く設定されており、プッシャーテーブル３０８の前進限界位置近傍から左右に拡幅する形状を成している。そして、拡幅部分の左右側壁部にそれぞれメダルＭが進入可能な側部メダル落下口３１１が設けられており、ここに落下したメダルＭは通過検知されることなくメダル収容部３１２とは別の不図示の収容部に別途回収される。
【００９９】
さて、本実施形態におけるメダルゲーム装置３００は抽選機能を有し、遊技盤３２２を流下したメダルＭが所定のチャッカー３３６を通過すると、通過信号が制御ユニット３５０に送信され、制御ユニット３５０で内部抽選処理が実行される。本実施形態において、このチャッカー３３６によるメダルの検知が内部抽選処理を発動させるための条件（抽選権獲得条件）である。
【０１００】
制御ユニット３５０は、いわゆる制御基板に相当し、ＣＰＵ（中央演算装置）３５２やＩＣメモリ３５４などの電子・電気部品が搭載されている。制御ユニット３５０は、ＩＣメモリ３５４に予め記憶されていたプログラムに従ってＣＰＵ３５２が各種演算処理を実行して内部抽選処理を実行する。そして、内部抽選結果に応じた枚数のボーナスメダルを、プッシャーテーブル３０８の脇に設けられたボーナスメダル排出口３４８から排出する。
【０１０１】
本実施形態では、制御ユニット３５０はボーナスメダルの排出の前に、液晶ディスプレイ３５６に第１実施形態〜第３実施形態と同様にして操作ボタン１１８を遊技者が操作してプレイすることのできる演出としてのゲーム（サブゲーム）を用いた演出表示を実行するとともに、音声をスピーカ３５８から再生させる。つまり、制御ユニット３５０と液晶ディスプレイ３５６とスピーカ３５８とで第１〜第３実施形態における演出装置２００に相当する機能を果たす。
【０１０２】
図２１は、本実施形態における処理の流れを説明するためのフローチャートである。制御ユニット３５０は、投入メダル通過センサ３１４でメダルの通過を検知したならば（ステップＳ１のＹＥＳ）、新規メダルの投入処理を実行し、検出枚数と同数のメダルをメダル射出装置３１８より射出して新規メダル投入口３２０より遊技空間へメダルを排出する（ステップＳ２）。
【０１０３】
そして、遊技盤３２２に沿って流下するメダルがチャッカー３３６に入ったことが検知されると（ステップＳ３のＹＥＳ）、制御ユニット３５０は内部抽選処理を実行し（ステップＳ４）、その抽選結果に基づいてサブゲームの難易度設定を選択する（ステップＳ５）。
【０１０４】
以下、制御ユニット３５０は、ステップＳ１０〜Ｓ４４については第１実施形態と同様の処理を実行する。そして、ステップ１０〜Ｓ４４の処理を実行したならば、ボーナスメダルの排出処理を実行して、内部抽選結果に応じた枚数のメダルをボーナスメダル排出口３４８から排出する（ステップＳ４６）。
【０１０５】
次いで、制御ユニット３５０は落下メダル通過センサ３３２によってメダル落下口３０４に落下したメダルを検出したならば（ステップＳ４８のＹＥＳ）、メダル払出処理を実行して落下メダル通過センサ３３２で検出したのと同数のメダルをメダル払出口３３６から払い出す（ステップＳ５０）。
【０１０６】
よって、本実施形態のメダルゲーム装置３００においても、第１実施形態と同様の効果を奏することができる。勿論、サブゲーム演出の実行に関しては第１実施形態のみならず第２及び第３実施形態と同様に実行する構成も可能である。
【０１０７】
〔変形例〕
以上、本発明を適用した第１〜第４実施形態について説明したが、本発明の実施形態がこれらに限定されるものではなく、適宜構成要素の追加・省略・変更を施すことができる。
【０１０８】
例えば、遊技装置としてパチンコ装置とメダルゲーム装置を例示したが、内部抽選を実行するとともに演出を実行する遊技装置であれば、スロットマシーンや、ピンボールなどその他の種類の装置にも同様に適用することができる。
【０１０９】
また、上記実施形態では演出としてのゲーム（サブゲーム）として音楽ゲームを実行する例を挙げたが、サブゲームのジャンルはこれに限られるものではなく、シューティングゲーム、パズルゲーム、アクションゲーム、スポーツゲームなどその他のジャンルでも良く、それぞれのジャンルにおいて適切にゲーム難易度の設定を内部抽選結果に応じて可変すれば良い。
【符号の説明】
【０１１０】
４  符合流域
６  累積ポイント表示
８  入力タイミング指標
１０  符合
２０ｅ、２０ｓ、２０ｈ  入力評価「優」用の入力評価判定領域
２２ｅ、２２ｓ、２２ｈ  入力評価「良」用の入力評価判定領域
２４ｅ、２４ｓ、２４ｈ  入力評価「可」用の入力評価判定領域
３０  称賛演出（ゲームクリア演出）
３２  どんでん返し演出
３４  ゲームオーバー演出
３６  逆転演出
１００  パチンコ装置
１１２  メイン基板
２００  演出装置
２０２  液晶ディスプレイ
２０４  サブ基板
５００  記憶部
５０４  演出制御プログラム
５０６  難易度設定データ
５０８  入力評価判定領域設定データ
５１０  演奏曲設定データ
６００  処理部
６１０  演出制御部
【図１】
2010213925.tif 000003
【図２】
2010213925.tif 000004
【図３】
2010213925.tif 000005
【図４】
2010213925.tif 000006
【図５】
2010213925.tif 000007
【図６】
2010213925.tif 000008
【図７】
2010213925.tif 000009
【図８】
2010213925.tif 000010
【図９】
2010213925.tif 000011
【図１０】
2010213925.tif 000012
【図１１】
2010213925.tif 000013
【図１２】
2010213925.tif 000014
【図１３】
2010213925.tif 000015
【図１４】
2010213925.tif 000016
【図１５】
2010213925.tif 000017
【図１６】
2010213925.tif 000018
【図１７】
2010213925.tif 000019
【図１８】
2010213925.tif 000020
【図１９】
2010213925.tif 000021
【図２０】
2010213925.tif 000022
【図２１】
2010213925.tif 000023